(57)【要約】      （修正有）【課題】敷かれたマットや布団を乾燥でき、現地での組み立て作業が容易なベッドを提供する。【解決手段】ＬＥＤチップ、電動ファン、回路ボックス３６、操作パネル３２を共通のベースフレーム３１に固定してユニット化した送風ユニット３０を空気取入口１２ａから閉鎖空間Ｓの内部に挿入して設置することで、ベッド本体１１の現地での組み立て作業を容易にする。空気取入口１２ａ，１３ａ，１５ａを左右のサイドボード１２，１３とフットボード１５に形成し、ベッド１０を壁や家具で塞がれない空気取入口１２ａを複数個所の空気取入口１２ａ，１３ａ，１５ａから選択し、選択した空気取入口１２ａのメクラ蓋２１を取り外し、他の空気取入口１３ａ，１５ａはメクラ蓋２１で覆蓋し、メクラ蓋２１を取り外した空気取入口１２ａから電動ファンで閉鎖空間Ｓ中に空気を吸引する。【選択図】図１
2018068795.tif 000002
【特許請求の範囲】
【請求項１】
マット又は布団が載置される載置面の下方に閉鎖空間を区画形成するサイドメンバーと、ＬＥＤチップ群と、ＬＥＤチップ群に向けて送風する電動ファンを備え、ＬＥＤチップ群の発熱で温められた空気が閉鎖空間内で上昇し、温められた空気でマット又は布団を乾燥するようにしたベッドであって、
ＬＥＤチップ群と電動ファンを共通のフレームに固定してユニット化した送風ユニットを備え、
送風ユニットを閉鎖空間の内部に設置し、サイドメンバーに形成した空気取入口から電動ファンで空気を閉鎖空間中に吸引するようにしたことを特徴とするベッド。
【請求項２】
マット又は布団が載置される載置面の下方に閉鎖空間を区画形成するサイドメンバーと、ＬＥＤチップ群と、ＬＥＤチップ群に向けて送風する電動ファンを備え、ＬＥＤチップ群の発熱で温められた空気が閉鎖空間内で上昇し、温められた空気でマット又は布団を乾燥するようにしたベッドであって、
ＬＥＤチップ群と電動ファンを共通のフレームに固定してユニット化した送風ユニットを備え、
送風ユニットを閉鎖空間の外部に設置し、サイドメンバーに形成した空気取入口から電動ファンで空気を閉鎖空間中に送風するようにしたことを特徴とするベッド。
【請求項３】
前記送風ユニットを前記空気取入口から閉鎖空間の内部に挿入して設置するようにしたことを特徴とする請求項１に記載のベッド。
【請求項４】
メクラ蓋で覆蓋可能な空気取入口をサイドメンバーの複数個所に形成し、
メクラ蓋を取り外した空気取入口から空気を閉鎖空間中に吸引するようにしたことを特徴とする請求項１に記載のベッド。
【請求項５】
メクラ蓋で覆蓋可能な空気取入口をサイドメンバーの複数個所に形成し、
メクラ蓋を取り外した空気取入口から空気を閉鎖空間中に送風するようにしたことを特徴とする請求項２に記載のベッド。
【請求項６】
ＬＥＤチップ群の点灯を制御するＬＥＤ用制御回路と電動ファンの駆動を制御するファン用制御回路を前記フレームに取り付け、
前記空気取入口を覆蓋する操作パネルを前記フレームに設け、
操作パネルに開口と、ＬＥＤチップ群の点灯と消灯を切り替えるＬＥＤ用スイッチ及び電動ファンの駆動と停止を切り替えるファン用スイッチを設け、
開口から空気取入口を通して電動ファンで閉鎖空間外部の空気を閉鎖空間中に吸引するようにしたことを特徴とする請求項１に記載のベッド。
【請求項７】
ＬＥＤチップ群の点灯を制御するＬＥＤ用制御回路と電動ファンの駆動を制御するファン用制御回路を前記フレームに取り付け、
前記空気取入口を覆蓋する操作パネルを前記フレームに設け、
操作パネルに開口と、ＬＥＤチップ群の点灯と消灯を切り替えるＬＥＤ用スイッチ及び電動ファンの駆動と停止を切り替えるファン用スイッチを設け、
開口から空気取入口を通して閉鎖空間外部の空気を電動ファンで閉鎖空間中に空気を送風するようにしたことを特徴とする請求項２に記載のベッド。
【請求項８】
前記フレームに放熱体を固定し、放熱体にＬＥＤチップ群を取り付けたことを特徴とする請求項１又は２に記載のベッド。
【請求項９】
前記フレームと前記電動ファンのハウジングとの間にクッション材を介在させたことを特徴とする請求項１又は２に記載のベッド。
【請求項１０】
前記送風ユニットとベッド設置面の間にクッション材を介在させたことを特徴とする請求項１に記載のベッド。
【請求項１１】
前記閉鎖空間とベッド設置面との間に、隙間を形成するボトムメンバーを設けたことを特徴とする請求項１又は２に記載のベッド。
【請求項１２】
前記サイドメンバーの一部又は全部をシート材で構成するとともに、該シート材を前記載置面から吊り下げ、シート材とベッド接地面との間に、隙間を形成したことを特徴とする請求項１又は２に記載のベッド。
【発明の詳細な説明】
【技術分野】
【０００１】
本発明は、ベッドに関し、より詳しくはベッドに敷かれたマット又は布団を乾燥できるベッドに関する。
【背景技術】
【０００２】
この種のベッドの一形式として、特許第５９６１８００号公報には、マットや布団が敷かれる載置面の下方にＬＥＤランプを設置し、前後及び左右のサイドメンバーでＬＥＤランプを取り囲む閉鎖空間を載置面の下方に区画形成し、サイドメンバーに形成した空気取入口から電動ファンで閉鎖空間外部の空気を閉鎖空間中に吸引するように構成したベッドが開示されている。
このベッドによれば、ＬＥＤランプの点灯に伴う発熱で閉鎖空間の内部の空気を温め、温められた空気が上昇して載置面を通過し、載置面に敷かれたマット又は布団が載置面を通過する空気で乾燥される。
【先行技術文献】
【特許文献】
【０００３】
【特許文献１】特許第５９６１８００号公報
【発明の概要】
【発明が解決しようとする課題】
【０００４】
上記した従来のベッドでは、前後及び左右のサイドメンバーを箱型に組み立てて閉鎖空間が区画形成され、前後のサイドメンバーの間に、ＬＥＤランプを組み付けたフレームが架け渡されている。また、後側のサイドメンバーに空気取入口が形成されるとともに、電動ファンやＬＥＤランプのスイッチ、電動ファンのスイッチ、タイマー等が設けられている。
【０００５】
一般にベッドは重量があって嵩張るため、分解して保管、運搬し、設置する現地で組み立てられる。上述した従来のベッドでは、ＬＥＤランプと電動ファンやスイッチ類が別々の部材に設けられているので、現地でのベッドの組み立て作業に時間がかかる。
また、ベッドを設置するとき、ベッドの足側を壁や家具類に接したり、近づけ過ぎると、後側のサイドメンバーに形成した空気取入口が壁や家具類で塞がれてしまい、電動ファンによる空気の吸引がスムースに行かない。そのため、ベッドは空気取入口が壁や家具類で塞がれない場所に設置しなければならず、ベッドの設置場所が制限される。
本発明はかかる問題点に鑑みてなされたものであって、敷かれたマットや布団を乾燥でき、現地での組み立て作業が容易なベッドを提供することを目的とする。
また、設置場所の制限が少ないベッドを提供することを目的とする。
【課題を解決するための手段】
【０００６】
請求項１に記載の発明は、
マット又は布団が載置される載置面の下方に閉鎖空間を区画形成するサイドメンバーと、ＬＥＤチップ群と、ＬＥＤチップ群に向けて送風する電動ファンを備え、ＬＥＤチップ群の発熱で温められた空気が閉鎖空間内で上昇し、温められた空気でマット又は布団を乾燥するようにしたベッドであって、
ＬＥＤチップ群と電動ファンを共通のフレームに固定してユニット化した送風ユニットを備え、
送風ユニットを閉鎖空間の内部に設置し、サイドメンバーに形成した空気取入口から電動ファンで空気を閉鎖空間中に吸引するようにしたことを特徴とする。
【０００７】
請求項２に記載の発明は、
マット又は布団が載置される載置面の下方に閉鎖空間を区画形成するサイドメンバーと、ＬＥＤチップ群と、ＬＥＤチップ群に向けて送風する電動ファンを備え、ＬＥＤチップ群の発熱で温められた空気が閉鎖空間内で上昇し、温められた空気でマット又は布団を乾燥するようにしたベッドであって、
ＬＥＤチップ群と電動ファンを共通のフレームに固定してユニット化した送風ユニットを備え、
送風ユニットを閉鎖空間の外部に設置し、サイドメンバーに形成した空気取入口から電動ファンで空気を閉鎖空間中に送風するようにしたことを特徴とする。
【０００８】
請求項３に記載の発明は、請求項１に記載のベッドにおいて、
前記送風ユニットを前記空気取入口から閉鎖空間の内部に挿入して設置するようにしたことを特徴とする。
【０００９】
請求項４に記載の発明は、請求項１に記載のベッドにおいて、
メクラ蓋で覆蓋可能な空気取入口をサイドメンバーの複数個所に形成し、
メクラ蓋を取り外した空気取入口から空気を閉鎖空間中に吸引するようにしたことを特徴とする。
【００１０】
請求項５に記載の発明は，請求項２に記載のベッドにおいて、
メクラ蓋で覆蓋可能な空気取入口をサイドメンバーの複数個所に形成し、
メクラ蓋を取り外した空気取入口から空気を閉鎖空間中に送風するようにしたことを特徴とする。
【００１１】
請求項６に記載の発明は、請求項１に記載のベッドにおいて、
ＬＥＤチップ群の点灯を制御するＬＥＤ用制御回路と電動ファンの駆動を制御するファン用制御回路を前記フレームに取り付け、
前記空気取入口を覆蓋する操作パネルを前記フレームに設け、
操作パネルに開口と、ＬＥＤチップ群の点灯と消灯を切り替えるＬＥＤ用スイッチ及び電動ファンの駆動と停止を切り替えるファン用スイッチを設け、
開口から空気取入口を通して電動ファンで閉鎖空間外部の空気を閉鎖空間中に吸引するようにしたことを特徴とする。
【００１２】
請求項７に記載の発明は、請求項２に記載のベッドにおいて、
ＬＥＤチップ群の点灯を制御するＬＥＤ用制御回路と電動ファンの駆動を制御するファン用制御回路を前記フレームに取り付け、
前記空気取入口を覆蓋する操作パネルを前記フレームに設け、
操作パネルに開口と、ＬＥＤチップ群の点灯と消灯を切り替えるＬＥＤ用スイッチ及び電動ファンの駆動と停止を切り替えるファン用スイッチを設け、
開口から空気取入口を通して、閉鎖空間外部の空気を電動ファンで閉鎖空間中に空気を送風するようにしたことを特徴とする。
【００１３】
請求項８に記載の発明は、請求項１又は２に記載のベッドにおいて、
前記フレームに放熱体を固定し、放熱体にＬＥＤチップ群を取り付けたことを特徴とする。
【００１４】
請求項９に記載の発明は、請求項１又は２に記載のベッドにおいて、
前記フレームと前記電動ファンのハウジングとの間にクッション材を介在させたことを特徴とする。
【００１５】
請求項１０に記載の発明は、請求項１に記載のベッドにおいて、
前記送風ユニットとベッド設置面の間にクッション材を介在させたことを特徴とする。
【００１６】
請求項１１に記載の発明は、請求項１又は２に記載のベッドにおいて、
前記閉鎖空間とベッド設置面との間に、隙間を形成するボトムメンバーを設けたことを特徴とする。
【００１７】
請求項１２に記載の発明は、請求項１又は２に記載のベッドにおいて、
前記サイドメンバーの一部又は全部をシート材で構成するとともに、該シート材を前記載置面から吊り下げ、シート材とベッド接地面との間に、隙間を形成したことを特徴とする。
【発明の効果】
【００１８】
請求項１及び請求項２に記載の発明によれば、ＬＥＤチップ群と電動ファンを共通のフレームに固定してユニット化したので、ベッドの現地での組み立て作業が容易になる。
【００１９】
請求項３に記載の発明によれば、送風ユニットを空気取入口から閉鎖空間内部に挿入して設置するので、より一層、ベッドの現地での組み立て作業が容易になる。
【００２０】
請求項４及び５に記載の発明によれば、空気取入口をサイドメンバーの複数個所に形成したので、ベッドを設置したとき壁や家具で塞がれない空気取入口を複数個所の空気取入口から選択し、選択した空気取入口のメクラ蓋を取り外し、他の空気取入口はメクラ蓋で覆蓋し、メクラ蓋を取り外した空気取入口から電動ファンで閉鎖空間中に空気を吸引できる。そのため、壁や家具類でベッドの設置場所が制限されない。
【００２１】
請求項６及び７に記載の発明によれば、送風ユニットにＬＥＤチップ群と電動ファンだけでなく、ＬＥＤ用制御回路、ファン用制御回路、ＬＥＤ用スイッチ及びファン用スイッチを取り付けてユニット化したので、より一層ベッドの現地での組み立て作業が容易になる。
【００２２】
請求項８に記載の発明によれば、送風ユニットに放熱体を設けたので、発熱量の小さいＬＥＤチップ群で閉鎖空間中の空気を効率的に温めることができる。
【００２３】
請求項９に記載の発明によれば、フレームと電動ファンのハウジングとの間にクッション材を介在させたので、電動ファンの稼働時の振動により発生する騒音を抑制できる。
【００２４】
請求項１０に記載の発明によれば、送風ユニットとベッド設置面の間にクッション材を介在させたので、電動ファンの稼働時の振動により発生する騒音を抑制できる。
【００２５】
請求項１１に記載の発明によれば、閉鎖空間とベッド設置面との間に隙間を形成するボトムメンバーを設けたので、隙間に箒や掃除機を入れて、塵埃の溜まり易いベッド直下のベッド設置面を掃除し、あるいは隙間を収納スペースに利用できる。
【００２６】
請求項１２に記載の発明によれば、隙間に箒や掃除機を入れて、塵埃の溜まり易いベッド直下の設置面を掃除できる。また、隙間を収納スペースに利用できる。
閉鎖空間を形成するサイドメンバーの一部又は全部にシート材を用いたので、ベッドの軽量化を図ることができる。
【図面の簡単な説明】
【００２７】
【図１】本発明の第１実施例に係るベッドを示す分解斜視図である。
【図２】同ベッドを模式的に示す断面図である。
【図３】同ベッドの送風ユニットを示す斜視図である。
【図４】同ベッドの送風ユニットを模式的に示す断面図である。
【図５】本発明の第２実施例に係るベッドを示す斜視図である。
【図６】同ベッドを示す背面図である。
【図７】同ベッドの放熱体を示す分解斜視図である。
【図８】同ベッドの放熱体の帯状発熱体を示す部分平面図である。
【図９】同ベッドの放熱体の帯状発熱体を示す断面図である。
【図１０】本発明の第３実施例に係るベッドを模式的に示す断面図である。
【図１１】本発明の第４実施例に係るベッドを模式的に示す断面図である。
【図１２】本発明の第５実施例に係るベッドを示す斜視図である。
【図１３】同ベッドの放熱体を示す分解斜視図である。
【図１４】本発明の第６実施例に係るベッドを示す斜視図である。
【図１５】本発明の第７実施例に係るベッドを示す斜視図である。
【実施例１】
【００２８】
以下に本発明を図面に基づき説明する。図１及び図２には本発明の第１実施例に係るベッド１０が示されている。当該ベッド１０の本体１１は、左右のサイドボード１２，１３とヘッドボード１４及びフットボード１５を箱型に組み立てて構成されている。左右のサイドボード１２，１３の間には、複数本のすのこ板１６が架け渡され、マット１７の載置面１８を形成している。載置面１８には、マット１７が敷設され、マット１７の上に敷布団１９と掛け布団２０及び枕２２が置かれている。左右のサイドボード１２，１３とヘッドボード１４及びフットボード１５は、マット１７の載置面１８の直下に閉鎖空間Ｓを区画形成するサイドメンバーを構成している。左右のサイドボード１２，１３とフットボード１５には、それぞれ空気取入口１２ａ，１３ａ，１５ａが形成されている。各空気取入口１２ａ，１３ａ，１５ａは、メクラ蓋２１をネジ止めすることにより覆蓋できる。
【００２９】
閉鎖空間Ｓの内部には送風ユニット３０が設けられている。図３及び図４に詳細を示すように、送風ユニット３０は、ベースフレーム３１と、ベースフレーム３１の前端部に立てて設けた操作パネル３２及びベースフレーム３１と、操作パネル３２を連結する補強フレーム３３を備えている。
【００３０】
ベースフレーム３１には、アルミ製の放熱体３４と放熱体３４に向けて送風する電動ファン３５及び回路ボックス３６が固定されている。放熱体３４は箱型を有し、内部に多数の放熱フィン３４ａが形成されている。放熱体３４の上面と側面には、複数個のＬＥＤチップ３７が固定され、ＬＥＤチップ群を構成している。電動ファン３５のハウジング３５ａとベースフレーム３１の間には、ゴム製のクッション材３８が介在されている。
【００３１】
操作パネル３２には開口３２ａが形成され、開口３２ａにエアフィルター３９が装着されている。開口３２ａと電動ファン３５が蛇腹状のダクト３５ｂで連通されている。操作パネル３２前面には、４個のスイッチ３２ｂ，３２ｃ，３２ｄ，３２ｅと、タイマー３２ｆ及び電源用ソケット３２ｇが取り付けられている。スイッチ３２ｂ，３２ｃ，３２ｄは、それぞれ放熱体３４上面に配されたＬＥＤチップ３７、左側面のＬＥＤチップ３７、右側面のＬＥＤチップ３７の点灯と消灯を切り替えるＬＥＤ用スイッチ、スイッチ３２ｅは電動ファン３５の駆動と停止を切り替えるファン用スイッチである。タイマー３２ｆは、ＬＥＤチップ３７の点灯時間及び電動ファン３５の稼働時間を設定するために設けられている。電源用ソケット３２ｇには、家庭用交流電源を直流電源に変換するＡＣアダプター３０ａが接続され、家庭用電源からＬＥＤチップ３７と電動ファン３５に電力が供給される。ＬＥＤチップ３７と電動ファン３５は、回路ボックス３６に電気的に接続されている。この回路ボックス３６には、ＬＥＤチップ３７の点灯を制御するＬＥＤ用制御回路と電動ファン３５の駆動を制御するファン用制御回路が内蔵されている。
【００３２】
送風ユニット３０の構造は以上の通りであって、現地でベッド本体１１を組み立て、設置したとき壁や家具類で塞がれない空気取入口１２ａのメクラ蓋２１を外し、他の空気取入口１３ａ，１５ａはメクラ蓋２１で塞ぐ。そして、メクラ蓋２１を取りはずした空気取入口１２ａから送風ユニット３０を挿入し、操作パネル３２の四隅をネジでサイドボード１２に固定する。こうして、送風ユニット３０を閉鎖空間Ｓの内部に設置する。
【００３３】
スイッチ３２ｂ，３２ｃ，３２ｄ，３２ｅを操作してＬＥＤチップ３７を点灯し、電動ファン３５を稼働させると、閉鎖空間Ｓの外部の空気が閉鎖空間Ｓ中に吸引される。そして、ＬＥＤチップ３７の点灯に伴う発熱で閉鎖空間Ｓの内部の空気が温められる。温められた空気は上昇して載置面１８を通過し、載置面１８に敷かれたマット１７、布団１９，２０及び枕２２が載置面１８を通過する空気で乾燥される。
【００３４】
本実施例に係るベッド１０によれば、ＬＥＤチップ３７、電動ファン３５、回路ボックス３６、操作パネル３２を共通のベースフレーム３１に固定してユニット化した送風ユニット３０を空気取入口１２ａから閉鎖空間Ｓの内部に挿入して設置するので、ベッド本体１１の現地での組み立て作業が容易である。
【００３５】
空気取入口１２ａ，１３ａ，１５ａを左右のサイドボード１２，１３とフットボード１５に形成したので、ベッド１０を設置したとき壁や家具で塞がれない空気取入口１２ａを複数個所の空気取入口１２ａ，１３ａ，１５ａから選択し、選択した空気取入口１２ａのメクラ蓋２１を取り外し、他の空気取入口１３ａ，１５ａはメクラ蓋２１で覆蓋し、メクラ蓋２１を取り外した空気取入口１２ａから電動ファン３５で閉鎖空間Ｓ中に空気を吸引できる。そのため、壁や家具類でベッド１０の設置場所が制限されない。
【００３６】
送風ユニット３０に放熱体３４を設けたので、発熱量の小さいＬＥＤチップ３７で閉鎖空間Ｓ中の空気を効率的に温めることができる。
【００３７】
ベースフレーム３１と電動ファン３５のハウジング３５ａとの間にゴム製のクッション材３８を介在させたので、電動ファン３５の稼働時の振動により発生する騒音を抑制できる。
【実施例２】
【００３８】
本発明の第２実施例に係るベッド４０を図５及び図６に示す。本実施例に係るベッド４０の本体４１は、左右２本のサイドフレーム４２，４３、ヘッドボード４４、フットボード４５及びターポリン製のシート材４６で構成され、両サイドフレーム４２，４３の間に架け渡した、すのこ板１６でマット１７の載置面４８が形成されている。シート材４６は、両サイドフレーム４２，４３から吊り下げられている。ヘッドボード４４とフットボード４５及びシート材４６は、本発明におけるサイドメンバーを構成するものであって、これらの部材でマット１７の載置面４８の直下に閉鎖空間Ｓが形成されている。本実施例では、シート材４６によって閉鎖空間Ｓの左右両側面と底面が区画形成され、ヘッドボード４４で閉鎖空間Ｓの前面が、またフットボード４５で閉鎖空間Ｓの後面が区画形成されている。図６に示すように、閉鎖空間Ｓの底面とベッド４０の設置面Ｆとの間には、箒や掃除機をベッド４０の側面から挿入可能な隙間Ｗが形成されている。
【００３９】
ベッド４０の閉鎖空間Ｓには、フットボード４５に形成した空気吸入口から送風ユニット５０が装填されている。この送風ユニット５０には、図７に示すように、上下２枚の盤状の放熱体５１，５２と複数本の帯状発熱体５３を備えている。各放熱体５１，５２には、多数の放熱フィン５１ａ，５２ａが形成されている。図８及び図９に示すように、帯状発熱体５３は、複数個のＬＥＤチップ５３ａを実装したフレキシブルプリント配線基板５３ｂを備えている。複数個のＬＥＤチップ５３ａは、フレキシブルプリント配線基板５３ｂの長手方向に沿って配置され、一列のチップ列を形成している。フレキシブルプリント配線基板５３ｂの裏面には、両面接着テープ５３ｃが貼り付けられている。また、フレキシブルプリント配線基板５３ｂの表面は、同基板に実装されたＬＥＤチップ５３ａを含めて熱可塑性の透明な軟質ポリ塩化ビニルから成る被覆材５３ｄで被覆されている。帯状発熱体５３は下側の放熱体５２に両面接着テープ５３ｃで貼り付けられ、帯状発熱体５３を挟むように上側放熱体５１がネジ５４で下側放熱体５２に固定されているとともに、下側放熱体５２がベースフレーム３１に固定されている。
なお、本実施例における送風ユニット５０の他の構成は、第１実施例に係る送風ユニット３０と同じであるので、同一の構成要素に同一の符号を付して説明を省略する。
【００４０】
本実施例によれば、帯状発熱体５３のＬＥＤチップ５３ａの発熱で温められた空気でマット１７や枕２２を乾燥できる。隙間Ｗに箒や掃除機を入れて、塵埃の溜まり易いベッド４０の直下の設置面Ｆを掃除できる。また、閉鎖空間Ｓを形成するサイドメンバーの一部にシート材４６を用いたので、ベッド本体４１の軽量化を図ることができる。
【実施例３】
【００４１】
本発明の第３実施例に係るベッド６０を図１０に示す。当該ベッド本体６１のマット１７の載置面１８の直下には、ヘッドボード１４とサイドボード１２，１３とフットボード１５及びボトムメンバー６２で閉鎖空間Ｓが区画形成されている。そして、閉鎖空間Ｓの底面を形成するボトムメンバー６２がベッド設置面Ｆより上方に設けられ、閉鎖空間Ｓとベッド設置面Ｆとの間に箒や掃除機が進入可能な隙間Ｗが形成されている。ボトムメンバー６２は、押し出し法ポリスチレンフォームの断熱材が用いられている。
【００４２】
閉鎖空間Ｓには送風ユニット７０が内蔵されている。この送風ユニット７０は、ベースフレーム７１、複数個のＬＥＤライト７２、電動ファン７３、蛇腹状のダクト７４及びエアフィルター７５を備え、ベースフレーム７１にＬＥＤライト７２と電動ファン７３が固定されている。ＬＥＤライト７２は発光方向が載置面１８に向くように設置されている。電動ファン７３は、ＬＥＤライト７２に向けて送風されるように設置されている。エアフィルター７５は、フットボード１５に形成した空気取入口１５ａに装着され、ダクト７４で電動ファン７３に連通されている。
なお、本実施例に係るベッド６０の他の構成は、第１実施例に係るベッド１０と同じであるので、同一の構成要素に同一の符号を付して説明を省略する。
【００４３】
本実施例請求項に係るベッド６０によれば、閉鎖空間Ｓとベッド設置面Ｆとの間に箒や掃除機が進入可能な隙間Ｗをボトムメンバー６２で形成したので、隙間Ｗに箒や掃除機を入れて、塵埃の溜まり易いベッド６０の直下のベッド設置面Ｆを掃除できる。
【実施例４】
【００４４】
本発明の第４実施例に係るベッド８０を図１１に示す。当該ベッド８０では、ボトムメンバー８２がベッド設置面Ｆに接するように設けている。
なお、本実施例に係るベッド８０の他の構成は第３実施例に係るベッド６０と同じであるので、同一の構成要素に同一の符号を付して説明を省略する。
本実施例に係るベッド８０によれば、送風ユニット７０とベッド設置面Ｆの間にフォーム材から成るボトムメンバー８２を介在させたので、ボトムメンバー８２のクッション効果により電動ファン７３の稼働時の振動により発生する騒音を抑制できる。
【実施例５】
【００４５】
本発明の第５実施例に係るベッド９０を図１２に示す。当該ベッド９０のフットボード１５に形成されている空気取入口１５ａに外付けで送風ユニット１００が取り付けられている。当該送風ユニット１００は、箱型のハウジング１０１を備え、ハウジング１０１に板状の放熱体１０２と電動ファン１０３が内蔵されている。図１３に示すように、放熱体１０２は２枚のアルミ製ボード１０４，１０５と複数本の帯状発熱体５３で構成され、アルミ製ボード１０４，１０５には多数の通孔１０４ａ，１０５ａが形成されている。帯状発熱体５３は、第２実施例に係るベッド４０に設けた帯状発熱体５３と同じ構造を備えている。帯状発熱体５３は、一方のボード１０４に貼り付けられ、帯状発熱体５３を挟持するように両ボード１０４，１０５がネジ１０６で接合されている。放熱体１０２はハウジング１０１の底面フレームに垂直にネジで固定されている。ハウジング１０１の前面には、開口が形成され、電動ファン１０３が開口に臨むように、ハウジング１０１の底面フレームに固定されている。開口にはエアフィルター１０７が装着されている。エアフィルター１０７の横にタイマー１０８が配置され、ハウジング１０１の上面にスイッチ１０９が配置されている。
なお、本実施例に係るベッド９０の他の構成は、第１実施例に係るベッド１０と同じであるので、同一の構成要素に同一の符号を付して説明を省略する。
【００４６】
本実施例に係るベッド９０の構造は以上の通りであって、電動ファン１０３の稼働により閉鎖空間Ｓの外部の空気が開口からハウジング１０１の内部に吸引され、帯状発熱体５３のＬＥＤチップ５３ａの発熱で温められ、多数の通孔１０４ａ，１０５ａと空気取入口１５ａを通って閉鎖空間Ｓ内に送風される。そして、閉鎖空間Ｓ内の温められた空気が上昇してマット１７や布団１９，２０が乾燥される。
本実施例に係るベッド９０によれば、ＬＥＤチップ５３ａを内蔵する放熱体１０２と電動ファン１０３をハウジング１０１に内蔵してユニット化した送風ユニット１００を外付けで、フットボード１５の空気取入口１５ａに取り付けるので、現地でのベッド９０の組み立て作業がより一層容易になる。
【実施例６】
【００４７】
本発明の第６実施例に係るベッド１１０を図１４に示す。当該ベッド１１０のサイドボード１２，１３とフットボード１５には、円形の空気取入口１２ｂ，１３ｂ，１５ｂが形成され、空気取入口１５ｂと送風ユニット１２０がダクトホース１２２で接続されている。
送風ユニット１２０は、箱型のハウジング１２１を備え、ハウジング１２１に放熱体１０２と電動ファン１０３が内蔵されている。ハウジング１２１の前面に開口が形成され、開口にエアフィルター１０７が装着されている。ハウジング１２１の上面にスイッチ１０９とタイマー１０８が配置されている。
【００４８】
本実施例に係るベッド１１０の構造は以上の通りであって、放熱体１０２のＬＥＤチップ５３ａで温められた空気がダクトホース１２２を通して空気取入口１５ｂから閉鎖空間Ｓの内部に送風される。
本実施例に係るベッド１１０によれば、送風ユニット１２０と空気取入口１２ｂ，１３ｂ，１５ｂをダクトホース１２２で接続するので、送風ユニット１２０をベッド１１０の本体１１１から離して設置できる。
【実施例７】
【００４９】
本発明の第７実施例に係るベッド１３０を図１５に示す。当該ベッド１３０の本体１３１は、４本のサイドボード１３２，１３３，１３４，１３５を四角に組んで構成され、ベッド本体１３１の四隅に脚部１３６が設けられている。左右のサイドボード１３２，１３３と後側のサイドボード１３５には、メクラ蓋２１で覆蓋可能な空気取入口１３２ａ，１３３ａ，１３５ａが形成されている。左右のサイドボード１３２，１３３の間にすのこ板１６が架け渡されている。すのこ板１６の下方にシート材１３７で閉鎖空間が区画形成Ｓされている。このシート材１３７の端部は、サイドボード１３２，１３３，１３４，１３５に打ち付けた多数の鋲１３８でサイドボード１３２，１３３，１３４，１３５に固定され、サイドボード１３２，１３３，１３４，１３５から吊り下げられている。シート材１３７で区画形成した閉鎖空間Ｓの底部とベッド１３０の接地面との間には、隙間Ｗが形成されている。
なお、本実施例に係るベッド１３０の他の構成は、第６実施例に係るベッド１１０と同じである。
本実施例に係るベッド１３０によれば、サイドボード１３２，１３３，１３４，１３５に脚部１３６を設けたので、シート材１３７の底部とベッド設置面の間に広い隙間Ｗが形成できる。そのため、隙間を収納スペースとして有効に活用できる。
【００５０】
なお、上記各実施例に係るベッドにおいて、紫外線を多く発光するＬＥＤチップ３７，５３ａを用いることにより、殺菌効果を高め、マット１７や布団１９，２０をより衛生的に乾燥できる。
サイドメンバーの材質にサイドボード１２，１３やターポリン製シート材４６を用いたが、布、フィルム、皮、紙等を用いることもできる。
さらにまた、サイドボード１２，１３やシート材４６に漏光部を設ければ、夜間にベッド１０，４０，６０，８０，９０，１１０の足元を照らしたり、送風ユニット３０，５０，７０，１００，１２０の稼働を漏光で確認でき、ベッド１０，４０，６０，８０，９０，１１０の使い勝手が良くなる。
【符号の説明】
【００５１】
１０…ベッド
１１…ベッド本体
１２…サイドボード
１２ａ，１２ｂ…空気取入口
１３…サイドボード
１３ａ，１３ｂ…空気取入口
１４…ヘッドボード
１５…フットボード
１５ａ，１５ｂ…空気取入口
１６…すのこ板
１７…マット
１８…載置面
１９…敷布団
２０…掛け布団
２１…メクラ蓋
２２…枕
３０…送風ユニット
３１…ベースフレーム
３２…操作パネル
３２ａ…開口
３２ｂ，３２ｃ，３２ｄ，３２ｅ…スイッチ
３２ｆ…タイマー
３４…放熱体
３５…電動ファン
３６…回路ボックス
３７…ＬＥＤチップ
３８…ゴム製クッション材
３９…エアフィルター
４０…ベッド
４１…ベッド本体
４２，４３…サイドフレーム
４４…ヘッドボード
４５…フットボード
４６…シート材
４８…載置面
５０…送風ユニット
５１，５２…放熱体
５３…帯状発熱体
５３ａ…ＬＥＤチップ
６０…ベッド
６１…ベッド本体
６２…ボトムメンバー
７０…送風ユニット
７１…ベースフレーム
７２…ＬＥＤライト
７３…電動ファン
７５…エアフィルター
８０…ベッド
８２…ボトムメンバー
９０…ベッド
１００…送風ユニット
１０１…ハウジング
１０２…放熱体
１０３…電動ファン
１０４，１０５…アルミ製ボード
１０７…エアフィルター
１０９…スイッチ
１１０…ベッド
１２０…送風ユニット
１３０…ベッド
１３１…ベッド本体
１３２，１３３，１３４，１３５…サイドボード
１３２ａ，１３３ａ，１３５ａ…空気取入口
１３７…シート材
Ｓ…閉鎖空間
Ｆ…ベッド接地面
Ｗ…隙間
【図１】
2018068795.tif 000003
【図２】
2018068795.tif 000004
【図３】
2018068795.tif 000005
【図４】
2018068795.tif 000006
【図５】
2018068795.tif 000007
【図６】
2018068795.tif 000008
【図７】
2018068795.tif 000009
【図８】
2018068795.tif 000010
【図９】
2018068795.tif 000011
【図１０】
2018068795.tif 000012
【図１１】
2018068795.tif 000013
【図１２】
2018068795.tif 000014
【図１３】
2018068795.tif 000015
【図１４】
2018068795.tif 000016
【図１５】
2018068795.tif 000017